(57)【要約】【課題】従来の冷蔵用オープンショーケースにおいては、庫内照明用の照明装置に対して最適な取付位置であるショーケースの上部先端に冷気吹出口が設けられているので、照明装置の取付位置を変更せざるを得ず、充分な照明が行えない問題点を生じていた。【解決手段】本発明により、吹出孔を設けた回路基板にＬＥＤランプを取付けた照明装置としたことで、冷気吹出口と照明装置とを同一の位置に設置することを可能とし、庫内の照明効果を満足させると共に、両者を同一位置としたことで、ＬＥＤランプが発する熱で、冷気吹出口に外気が接して生じる結露も防止できるものとして、点灯中は結露防止用ヒータをの使用を中止できるなど省電力にも効果を奏するものとする。【選択図】図１
2009106515.tif 000002
【特許請求の範囲】
【請求項１】
多段式冷蔵用オープンショーケース用の照明装置であり、前記ショーケースの最上部の冷気吹出口近傍に設けられる全体照明用の照明装置において、前記照明装置は、前記冷気吹出口とほぼ同じ寸法として形成され適宜な間隔をもって吹出孔が設けられて前記冷気吹出口を覆うように取付けられる回路基板上の、前記吹出孔の間に取付けられた白色発光のＬＥＤランプであることを特徴とする多段式冷蔵用オープンショーケース用の照明装置。
【請求項２】
前記冷気吹出口の近傍には結露防止用ヒーターが設けられ、前記照明装置の点灯時には前記結露防止用ヒーターへの通電を停止し、前記照明装置の消灯時には前記結露防止用ヒーターへの通電が開始される制御装置が設けられていることを特徴とする請求項１記載の多段式冷蔵用オープンショーケース用の照明装置。
【請求項３】
前記照明装置には前記白色発光のＬＥＤランプに加えて、少なくとも３原色の単色発光のＬＥＤランプの一種類以上を同時点灯させることを可能とするＬＥＤランプ及び制御装置が設けられていることを特徴とする請求項１または請求項２記載の多段式冷蔵用オープンショーケース用の照明装置。
【発明の詳細な説明】
【技術分野】
【０００１】
本発明は、スーパーマーケット、コンビニエンスストアなどで、冷蔵が必要な商品を陳列するときに、消費者が手に取りやすいように、前面開口部にエアーカーテンを設けることで、ショーケース内を低温状態に保てるようにした冷蔵用オープンショーケースに係るものであり、詳細には、上記冷蔵用オープンショーケース内に陳列された商品の照明に適する照明装置の構成に係るものである。
【背景技術】
【０００２】
従来のこの種の多段式とした冷蔵用オープンショーケース９０の構成の例を示すものが図５であり、本体ケース９１には、前面開口部９１ａの部分を除いてダクト９２が形成され、このダクト９２中に冷却機９３、ファン９４が設けられ、前記冷却器９３によりダクト９２内の空気を冷却すると共に、ファン９４によりダクト９２内の空気を本体ケース９１の上端側に設けられた上部吹出口９５に向けて送風する。
【０００３】
このようにすることで、冷却機９３により冷却された空気（冷気）は、前記上部吹出口９５から噴出するものとなるが、噴出した空気の進行方向には吸込口９６が設けられており、前記上部吹出口９５から噴出した空気の大部分を吸い込むものとなるので、前記前面開口部９１ａの部分には、所謂、エアカーテンができるものとなり、本体ケース９１内部は冷気が保たれるものとなる。
【０００４】
尚、図中に符号９７で示すものは商品照明用の蛍光灯であり、この蛍光灯９７の好ましい設置位置は前記上部吹出口９５と重畳するものとなるので、前記上部吹出口９５の手前にキャノピー９７ａを設け、内部に蛍光灯９７を取付ける構成としている。また、前記蛍光灯９７のみでは照明が不足する場合には、内部に設ける中棚９８の下部などに取付けて補うものとしている。また、図５では中棚９８は一段の例で示してあるが複数段が設けられているものも多い。
【０００５】
更には、図示は省略するが、前記上部吹出口９５は外気に触れるものとなるので、高温、多湿の時期には結露を生じ、水滴の滴下など、消費者に不快な思いをさせる事態を生じる可能性があるので、前記上部吹出口９５の近傍にはヒーターを設けておき、例えば、金属部材など熱伝導性の良い部材で形成した上部吹出口９５を暖め、上記事態を生じないように配慮している。
【特許文献１】特開平０９−０３７９００号公報
【発明の開示】
【発明が解決しようとする課題】
【０００６】
しかしながら、上記した従来の冷蔵用オープンショーケース９０においては、例えば、展示商品数を増すために収納容量の増加を図るときには、前記本体ケース９１の高さを増し中棚９８の数を増さざるを得ないものとなる。この場合、各中棚９８間の商品は、その上段の中棚９８の下面に取付けられた蛍光灯などにより充分な照明が可能となる。
【０００７】
但し、最下段の商品陳列棚９９においては、吸込口９６が設けられているので、その上方に設けられる中棚９８を長くすると、上部吹出口９５からの冷気の通路を妨害するものとなり冷気の回収効率が低下して、冷却機９３の能力を強化するなどの対策が必要となり消費電力を増えランニングコストが増すものとなる。
【０００８】
従って、最下段の商品陳列棚９９においては、上記した上部吹出口９５の手前に設けられた蛍光灯９７からの光に頼るものとなり、距離的にも遠い位置であり、また、蛍光灯９７は拡散光であるので、最も展示効果が上がる最下段の商品陳列棚９９の手前の部分の照明が不充分なものとなるという問題点を生じ、この点の解決が課題とされている。
【課題を解決するための手段】
【０００９】
本発明は、上記した従来の課題を解決するための具体的な手段として、多段式冷蔵用オープンショーケース用の照明装置であり、前記ショーケースの最上部の冷気吹出口近傍に設けられる全体照明用の照明装置において、前記照明装置は、前記冷気吹出口とほぼ同じ寸法として形成され適宜な間隔をもって吹出孔が設けられて前記冷気吹出口を覆うように取付けられる回路基板上の、前記吹出孔の間に取付けられた白色発光のＬＥＤランプであることを特徴とする多段式冷蔵用オープンショーケース用の照明装置を提供することで課題を解決するものである。
【発明の効果】
【００１０】
本発明によれば、指向性の強いＬＥＤランプで最下段の商品陳列棚を照明するものとしたこと、及び、冷気吹出口と照明装置とを同一位置としたことで、従来は充分な照明が困難であった、最下段の陳列棚の特に前方寄りの部分の照明を充分なものとして、展示効果の向上に極めて優れた効果を奏するものである。
【００１１】
また、本発明により照明装置の点灯中は結露防止用ヒータを切断できる構成としたことで、１日のうちでより長い営業時間中には、前記結露防止用ヒータの使用しないものとして、この種の多段式冷蔵用オープンショーケースの消費電力を低減し、ランニングコストの低下にも優れた効果を奏するものである。
【発明を実施するための最良の形態】
【００１２】
つぎに、本発明を図に示す実施形態に基づいて詳細に説明する。図１に符号１で示すものは本発明に係る照明装置であり、図１においては、本発明の照明装置１を多段式冷蔵用オープンショーケース１０の冷気吹出口１１に取付た状態を正面図で示してある。
【００１３】
ここで、前記照明装置１は、前記冷気吹出口１１と略同一寸法として形成された回路基板２と、例えば、白色発光のＬＥＤランプ３と、前記ＬＥＤランプ３に対して給電制御を行うと共に、前記冷気吹出口１１に設けられる結露防止用ヒータ１２の制御も行う制御装置４とからで構成されている。
【００１４】
前記回路基板２は、好ましくは、金属など熱伝導性の良い部材を使用して形成され、そして、前記ＬＥＤランプ３が取付けられる側の表面には、例えば、膜状のポリイミド樹脂などで形成されたフレキシブルプリント回路基板２ａが貼着などにより密接して取付けられ、この前記フレキシブルプリント回路基板２ａに形成された回路パターン２ｃによりＬＥＤランプ３に対する取付と給電とが行えるようにされている。尚、前記回路基板２が熱伝導性が良く、且つ、絶縁性である場合にはフレキシブルプリント回路基板２ａは省略し回路基板２に直接回路を形成しても良いものであることはいうまでもない。
【００１５】
以上の構成について、更に具体的に説明を行えば、前記冷気吹出口１１の幅が例えば５０mm、長さが例えば８００mm、板厚が１mmであったとすれば、前記回路基板２も略同じ寸法として形成される。尚、このときに、前記回路基板２を前記冷気吹出口１１前面に嵌め込み止着するなどのために、両者間に適宜な寸法差を設けるなどは自由である。尚、図中に符号１１ａで示すものは冷気吹出口１１の外形を形成する金属枠であり、１１ｂで示すものは、前記金属枠１１ａの内部を仕切る仕切板である。
【００１６】
そして、この実施例においては、前記回路基板２には、長手方向に５０mm間隔で４０mm×４０mmの吹出孔２ｂが設けられている。このように形成することで、前記回路基板２は、長手方向には５mm幅、各冷気吹出口開口部２ｂ間では１０mm幅の寸法を有する、略梯子状の形状のものとなる。
【００１７】
このように、形成された回路基板２に対して、本発明では、前記吹出孔２ｂ間に、例えば面実装型としたＬＥＤランプ３を取付けるものであり、各ＬＥＤランプ３は前記回路基板２に貼着されたフレキシブルプリント回路基板２ａの略梯子状の形状を利用して形成された回路パターン２ｃにより、取付け及び電気的接続が行われており、前記制御装置４により駆動が行われている。
【００１８】
図２は、図１のＡ−Ａ線に沿う断面を示すものであり、本発明により、このような構成とすることにより、第一には、前記冷気吹出口１１と、照明装置１とが同一の位置となり、且つ、ＬＥＤランプ３からの、比較的に指向性の強い光により、従来は照明が困難とされた、前記多段式冷蔵用オープンショーケース１０の最下段の棚の手前位置の照明が行えるものとなるので、照明効果が向上し、消費者の購買心の喚起に有効なものとなる。
【００１９】
また、第二には、本発明に係る多段式冷蔵用オープンショーケース１０においても、前記冷気吹出口１１の近傍には、結露防止用ヒータ１２が設けられるものとなっているが、本発明においては、前記ＬＥＤランプ３の点灯時には、前記結露防止用ヒーター１２への通電は、前記制御回路４により停止されるものとなっている。
【００２０】
これは、本発明により前記冷気吹出口１１と、ＬＥＤランプ３を搭載した回路基板２が密接して設けられているからＬＥＤランプ３の発熱が直接冷気吹出口１１に伝導されるからであり、前記実施例ではＬＥＤランプ３の発光効率は５０ｌｍ／Ｗで外部量子効率は２０％程度であり、残りのエネルギーは殆どが熱として発生するものとなる。ここで、前記結露防止用ヒーター１２としては、従来、約１０Ｗ程度の出力とされているので、１ＷチップタイプのＬＥＤランプ３であれば約１２個程度で同様な結露防止の効果が期待できるものとなる。
【００２１】
そして、営業時間が終了し、前記ＬＥＤランプ３の消灯を行った時点で、前記制御回路４は結露防止ヒーター１２を投入する。従って、営業時間以外は、前記結露防止ヒーター１２により結露が防止されるものとなり、翌日の営業再開時に商品に露が落ちて商品価値が低下するなどの不都合が防止できる。
【００２２】
よって、本発明の照明装置１においては、近年においては、例えば、コンビニエンスストアの２４時間営業の如く、圧倒的に長い営業時間中は結露防止用ヒータ１２を使用しないものとして、節電効果も同時に奏するものするのでありる。
【００２３】
図３に示すものは、本発明の第二実施例であり、前の実施例において、例えば、冷気吹出口１１が本体ケース１３の一部に接している、あるいは、近接していると、前記結露防止用ヒータ１２の設けられた位置によっては、前記本体ケース１３の表面などに結露を生じる場合も生じ、見栄えを損なうものとなる。
【００２４】
このような場合、前記回路基板２の下面、即ち、ＬＥＤランプ３が取付けられているのと反対側の面に、金属シートの片面に粘着剤を塗布するなどの構成とした伝熱シート５の一端を貼着し、その他端を前記本体ケース１３の結露が発生する部分まで延設して貼着を行えば、冷気吹出口１１近傍に生じる本体ケースの結露を防止できるものとなる。
【００２５】
図４は、本発明の第三実施例であり、上記したＬＥＤランプ３は、青色発光のＬＥＤからの光と、黄色発光の蛍光体からの光との混色で白色発光を行っているものであるので、例えば、赤色系の商品を照明したときには従来から使用されていた蛍光ランプなどと比較して演色性に劣る場合も生じ得る。
【００２６】
よって、Ｒ（赤）、Ｇ（緑）、Ｂ（青）三原色の単色発光ＬＥＤランプ３ｒ、３ｇ、３ｂも取付けておき、例えば、肉類などのときには前記制御装置の４に設けた手動スイッチ４ａなどで赤色発光のＬＥＤランプ３ｒも点灯し、野菜類などのときには緑色発光のＬＥＤランプ３ｇを点灯して演色性向上を図るなどしても良いものである。尚、本発明では単色発光のＬＥＤランプの発光色をＲ、Ｇ、Ｂの三原色の限るものではなく、他の発光色を取付けることも自由であり、また、付加する色数も三色に限定するものでもない。
【図面の簡単な説明】
【００２７】
【図１】本発明に係る多段式冷蔵用オープンショーケース用の照明装置の第一実施例を示す略示的な正面図である。
【図２】図１のＡ−Ａ線に沿う断面図である。
【図３】同じく本発明に係る照明装置の第二実施例を示す説明図である。
【図４】同じく本発明に係る照明装置の第三実施例を示す説明図である。
【図５】従来例を示す略示的な断面図である。
【符号の説明】
【００２８】
１…照明装置
２…回路基板
２ａ…フレキシブルプリント回路基板
２ｂ…吹出孔
２ｃ…回路パターン
３…ＬＥＤランプ
３ｒ…赤色発光のＬＥＤランプ
３ｇ…緑色発光のＬＥＤランプ
３ｂ…青色発光のＬＥＤランプ
４…制御装置
４ａ…手動スイッチ
５…伝熱シート
１０…多段式冷蔵用オープンショーケース
１１…冷気吹出口
１１ａ…金属枠
１１ｂ…仕切板
１２…結露防止用ヒーター
１３…本体ケース
【図１】
2009106515.tif 000003
【図２】
2009106515.tif 000004
【図３】
2009106515.tif 000005
【図４】
2009106515.tif 000006
【図５】
2009106515.tif 000007